(57)【要約】【課題】地毛と植毛の境界を自然に仕上げることができる、かつらの植毛調整方法を提供する。【解決手段】かつら１のベース部２に植えられた植毛３を調整するときに、  トップエリア１０の植毛３とサイドエリア２０の植毛３の長さをそれぞれ調整するカット工程と、上記サイドエリア２０の植毛３の毛量を調整するスキ工程を行い、  上記スキ工程は、  トップから襟元に向かう方向にスライス３０をとり、上記スライス３０に対し、襟元側よりもトップ側が上記ベース部２から離れるよう、傾斜角度をつけてすきバサミ４０を入れる。  このため、上記スキ工程では、トップ側よりも襟元側の植毛３が多めにすきとられることになる。かつら１の植毛３と残った地毛の境界を極めて自然に仕上げることができる。【選択図】図５
2019163562.tif 000002
【特許請求の範囲】
【請求項１】
かつらのベース部に植えられた植毛を調整する方法であって、
トップエリアの植毛とサイドエリアの植毛の長さをそれぞれ調整するカット工程と、上記サイドエリアの植毛の毛量を調整するスキ工程を行い、
上記スキ工程は、
トップから襟元に向かう方向にスライスをとり、上記スライスに対し、襟元側よりもトップ側が上記ベース部から離れるよう、傾斜角度をつけてすきバサミを入れる
ことを特徴とするかつらの植毛調整方法。
【請求項２】
上記サイドエリアの植毛の根元側から先端側に向かって複数回、上記した傾斜角度をつけてすきバサミを入れる
請求項１記載のかつらの植毛調整方法。
【請求項３】
上記スライスは、トップ側より襟元側の毛量が多くなるようにとる
請求項１または２記載のかつらの植毛調整方法。
【発明の詳細な説明】
【技術分野】
【０００１】
本発明は、かつらのベースに植えられた植毛を装着者にあわせて調整する、かつらの植毛調整方法に関するものである。
【背景技術】
【０００２】
一般に、かつらは、製造された段階では、ベースに植えられた植毛の長さがかなり長めに設定されている。たとえば１０〜２０ｃｍ程度である。使用する前に、装着者の状態や好みに合わせて適宜、植毛を調整することが行われている。
【０００３】
このような、かつらの植毛の調整について言及された文献として、本出願人は下記の特許文献１を把握している。
【先行技術文献】
【特許文献】
【０００４】
【特許文献１】特許第５８０１９３７号公報
【０００５】
上記特許文献１にはつぎの記載がある。
［請求項１］
上下層の２層構造で形成し、かつら全面にわたって満遍なく植毛を形成し、１層の端縁部を他層の端部よりはみ出し状に形成して調整代部とし、当該調整代部でもみあげ部を形成したかつらを被着するかつら被着方法であって、
前記１層のはみ出した端縁部である調整代部の幅員をハサミを入れてカットした残りの調整代部の幅員をもって額周りからもみあげにかけて一体形成された生え際部とし、額周りからもみあげにかけての前記生え際部の植毛の長さをハサミを入れてカットすることを特徴とするかつら被着方法。
［００２９］
本実施形態にかかるかつらは、ベース１に植毛された頭髪は、予め、１５〜２０ｃｍ程度の長さに形成されている。そして、このかつらを購入した場合、例えば美容院などにおいて、装着者Ｈに適応した形となるように調整代部１２１にハサミを入れて整えるのである。
［００３０］
また、かかる調整代部１２１においては、内部側から端部側にかけて植毛密度を粗くしており、より自然な生え際が再現されるようにしている。
【発明の開示】
【発明が解決しようとする課題】
【０００６】
上記特許文献１は、額周りからもみあげにかけての生え際部の植毛の長さをハサミを入れてカットするものである。上記特許文献１では、上記生え際部の調整について言及されているが、側頭部から後頭部にかけての調整については言及されていない。
【０００７】
しかしながら、かつらの装着者は、頭頂部の髪は残っていなくても、側頭部から後頭部にかけて地毛が残っているケースが極めて多い。したがって、かつらを装着する場合、かつらの植毛と残った地毛の境界を自然に仕上げることが極めて重要である。この境界が不自然では、かつらを装着していることが一目でわかってしまい、かつらの意味が半減してしまうからである。
【０００８】
ところが、上記特許文献１の技術では、側頭部から後頭部にかけたサイドエリアにおいて、かつらの植毛と残った地毛の境界を自然に仕上げることについては、まったく考慮されていない。
【０００９】
本発明は、上記のような事情に鑑み、つぎの目的を持ってなされたものである。
地毛と植毛の境界を自然に仕上げることができる、かつらの植毛調整方法を提供する。
【課題を解決するための手段】
【００１０】
上記目的を達成するため、請求項１記載のかつらの植毛調整方法は、下記の構成を採用した。
トップエリアの植毛とサイドエリアの植毛の長さをそれぞれ調整するカット工程と、上記サイドエリアの植毛の毛量を調整するスキ工程を行い、
上記スキ工程は、
トップから襟元に向かう方向にスライスをとり、上記スライスに対し、襟元側よりもトップ側が上記ベース部から離れるよう、傾斜角度をつけてすきバサミを入れる。
【００１１】
請求項２記載のかつらの植毛調整方法は、請求項１記載の構成に加え、下記の構成を採用した。
上記サイドエリアの植毛の根元側から先端側に向かって複数回、上記した傾斜角度をつけてすきバサミを入れる。
【００１２】
請求項３記載のかつらの植毛調整方法は、請求項２記載の構成に加え、下記の構成を採用した。
上記スライスは、トップ側より襟元側の毛量が多くなるようにとる。
【００１３】
なお、本発明の説明において、かつらのベースに植えられた毛を「植毛」といい、装着者の頭部に生えている毛を「地毛」という。
【発明の効果】
【００１４】
請求項１記載のかつらの植毛調整方法は、上記サイドエリアの植毛の毛量を調整するスキ工程において、まず、トップから襟元に向かう方向にスライスをとる。ついで、上記スライスに対し、襟元側よりもトップ側が上記ベース部から離れるよう、傾斜角度をつけてすきバサミを入れる。
このため、上記スキ工程では、トップ側よりも襟元側の植毛が多めにすきとられることになる。上記スキ工程後に残る植毛の量は、トップ側のほうが襟元側より多い。つまり襟元側のほうがトップ側より少ない。したがって、側頭部から後頭部にわたるサイドエリアに残る地毛に近い襟元側の植毛の毛量が少なく、そこからトップ側にいくにしたがって植毛の毛量が多く残ることになる。そのように調整されたかつらは、着用したときに、残った地毛の近傍に植毛が盛り上がって不自然な境界が生じない。つまり、かつらの植毛と残った地毛の境界を極めて自然に仕上げることができるのである。
【００１５】
請求項２記載のかつらの植毛調整方法は、上記サイドエリアの植毛の根元側から先端側に向かって複数回、上記した傾斜角度をつけてすきバサミを入れる。
このため、上記スキ工程において、トップ側よりも襟元側の植毛が、より多めにすきとられることになる。つまり、かつらの植毛と残った地毛の境界を、より自然に仕上げることができるのである。
【００１６】
請求項３記載のかつらの植毛調整方法は、上記スライスは、トップ側より襟元側の毛量が多くなるようにとる。
このため、上記スキ工程において、トップ側よりも襟元側の植毛が、より多めにすきとられることになる。つまり、かつらの植毛と残った地毛の境界を、より自然に仕上げることができるのである。
【図面の簡単な説明】
【００１７】
【図１】本発明のかつらの植毛調整方法の一実施形態であり、カット工程においてトップエリアの長さを調整する状態の一例を説明する図である。
【図２】上記カット工程においてサイドエリアのうち側頭部の長さを調整する状態の一例を説明する図である。
【図３】上記カット工程においてサイドエリアのうち後頭部の長さを調整する状態の一例を説明する図である。
【図４】サイドエリアのスキ工程を説明する図であり、スライスのとりかたの一例を示す図である。
【図５】上記スキ工程において、すきバサミの入れ方を説明する図である。
【発明を実施するための形態】
【００１８】
図１〜図５は、本発明のかつらの植毛調整方法の実施形態を説明する図である。本実施形態は、かつら１のベース部２に植えられた植毛３を調整する方法である。
【００１９】
本実施形態の方法は、カット工程とスキ工程を行う。
上記カット工程は、トップエリア１０の植毛３とサイドエリア２０の植毛３の長さをそれぞれ調整する。
上記スキ工程は、上記サイドエリア２０の植毛３の毛量を調整する。
【００２０】
図１〜図３は、上記カット工程において、トップエリア１０とサイドエリア２０の植毛３の長さを調整する状態を説明する図である。
【００２１】
図１は、トップエリア１０の植毛３の長さを調整する状態の一例を説明する図である。
トップエリア１０は、額前面から両側にわたる生え際から旋毛の少し後ろまでの頭頂領域である。トップエリア１０の植毛３をハサミでカットし、その長さを調整する。このときのカットラインの一例を図において破線で示している。調整する植毛３の長さは、着用者の好みや地毛の残り具合などに応じて適宜に設定される。
【００２２】
図２は、上記カット工程においてサイドエリア２０のうち側頭部の長さを調整する状態の一例を説明する図である。
サイドエリア２０のうち側頭部の植毛３をハサミでカットし、その長さを調整する。このときのカットラインの一例を図において破線で示している。調整する植毛３の長さは、着用者の好みや地毛の残り具合などに応じて適宜に設定される。
【００２３】
図３は、上記カット工程においてサイドエリア２０のうち後頭部の長さを調整する状態の一例を説明する図である。併せてトップエリア１０の植毛３の長さを調整する状態の一例も示している。
植毛３をハサミでカットし、その長さを調整する。このときのカットラインの一例を図において破線で示している。調整する植毛３の長さは、着用者の好みや地毛の残り具合などに応じて適宜に設定される。
【００２４】
図４は、サイドエリア２０のスキ工程を説明する図であり、スライス３０のとりかたの一例を示す図である。
上記スキ工程では、トップから襟元に向かう方向にスライス３０をとる。このとき、上記スライス３０は、トップ側より襟元側の毛量が多くなるようにとることが好ましい。具体的には、図示したように、上記スライス３０は、トップ側を頂点として襟元側に広がる三角形状のエリアの植毛３をとる。
【００２５】
図５は、上記スキ工程において、すきバサミ４０の入れ方を説明する図である。
上記のようにしてとったスライス３０に対し、襟元側よりもトップ側が上記ベース部２から離れるよう、傾斜角度をつけてすきバサミ４０を入れる。具体的には、上記スライス３０に対して上記すきバサミ４０を、ネジ側をベース部２に近く位置させ、刃先側がベース部２から離れるように傾斜角度をつけ、その状態でスライス３０に対してスキバサミ４０を入れる。図示した例では、上記傾斜角度を３０〜５０度（図では４５度）に設定し、カットラインを破線で示している。
【００２６】
このようにすることにより、トップ側よりも襟元側の植毛３が多めにすきとられることになる。上記スキ工程後に残る植毛３の量は、トップ側のほうが襟元側より多くなる。つまり襟元側のほうがトップ側より少なくなる。このとき、上記スライス３０を、トップ側より襟元側の毛量が多くなるようにとることにより、トップ側よりも襟元側の植毛３がより多めにすきとられる。
【００２７】
さらに上記スキ工程では、上記サイドエリア２０の植毛３の根元側から先端側に向かって複数回、上記した傾斜角度をつけてすきバサミ４０を入れることが好ましい。図示した例は、植毛３の根元側から先端側に向かって２〜５回（図では３回）すきバサミ４０を入れる例を説明している。カットラインを破線で示している。
このようにすることにより、トップ側よりも襟元側の植毛３がより多めにすきとられることになる。
【００２８】
このように植毛３の調整を行ったかつら１を着用すると、残った地毛の近傍に植毛３が盛り上がって不自然な境界が生じない。つまり、かつら１の植毛３と残った地毛の境界が極めて自然に見えるのである。
【００２９】
〔実施形態の作用効果〕
本実施形態のかつらの植毛調整方法は、上記サイドエリア２０の植毛３の毛量を調整するスキ工程において、まず、トップから襟元に向かう方向にスライス３０をとる。ついで、上記スライス３０に対し、襟元側よりもトップ側が上記ベース部２から離れるよう、傾斜角度をつけてすきバサミ４０を入れる。
このため、上記スキ工程では、トップ側よりも襟元側の植毛３が多めにすきとられることになる。上記スキ工程後に残る植毛３の量は、トップ側のほうが襟元側より多い。つまり襟元側のほうがトップ側より少ない。したがって、側頭部から後頭部にわたるサイドエリア２０に残る地毛に近い襟元側の植毛３の毛量が少なく、そこからトップ側にいくにしたがって植毛３の毛量が多く残ることになる。そのように調整されたかつら１は、着用したときに、残った地毛の近傍に植毛３が盛り上がって不自然な境界が生じない。つまり、かつら１の植毛３と残った地毛の境界を極めて自然に仕上げることができるのである。
【００３０】
本実施形態のかつらの植毛調整方法は、上記サイドエリア２０の植毛３の根元側から先端側に向かって複数回、上記した傾斜角度をつけてすきバサミ４０を入れる。
このため、上記スキ工程において、トップ側よりも襟元側の植毛３が、より多めにすきとられることになる。つまり、かつら１の植毛３と残った地毛の境界を、より自然に仕上げることができるのである。
【００３１】
本実施形態のかつらの植毛調整方法は、上記スライス３０は、トップ側より襟元側の毛量が多くなるようにとる。
このため、上記スキ工程において、トップ側よりも襟元側の植毛３が、より多めにすきとられることになる。つまり、かつら１の植毛３と残った地毛の境界を、より自然に仕上げることができるのである。
【００３２】
〔変形例〕
以上は本発明の特に好ましい実施形態について説明したが、本発明は図示した実施形態に限定する趣旨ではなく、各種の態様に変形して実施することができ、本発明は各種の変形例を包含する趣旨である。
【符号の説明】
【００３３】
１  かつら
２  ベース部
３  植毛
１０  トップエリア
２０  サイドエリア
３０  スライス
４０  スキばさみ
【図１】
2019163562.tif 000003
【図２】
2019163562.tif 000004
【図３】
2019163562.tif 000005
【図４】
2019163562.tif 000006
【図５】
2019163562.tif 000007